(57)【要約】      （修正有）【課題】ケーシング内が上部室と下部室に区画された室外ユニットにおいて、圧縮機の分解を伴う保守・点検作業時の圧縮機の取り外し・取り付けをし易くするために、圧縮機に対応した下部室の中間支柱を着脱可能な構成とする。この場合、中間支柱の取り外しによって下方へ撓んだ横材を略水平状態に矯正する中間支柱の取り付け構造を提供する。【解決手段】四隅に配置された支柱とこれに渡る上部横材、中間部横材、下部横材６３Ｓにて形成された横長ケーシング内が仕切り板にて上部室と下部室に区画され、下部室に圧縮機等が配置された冷凍装置の室外ユニットにおいて、下部室の作業間口側の上部の中間部横材を支えるように下部室に配置された中間支柱６２Ｆは、上端部と下端部がネジにてケーシングに着脱自在であり、中間支柱の上端部には、中間支柱の取り外しによって下方へ撓んだ中間部横材をネジの回転によって正規の略水平状態に矯正する。【選択図】図１１
2012132659.tif 000002
【特許請求の範囲】
【請求項１】
四隅に配置された支柱とこれら支柱に渡る上部横材、中間部横材、下部横材にて骨組み構成された横長のケーシング内が、前記中間部横材に支持された仕切り板にて上部室と下部室に区画され、前記上部室に熱交換器及び上方に送風する送風機が配置され、前記下部室に圧縮機、電磁弁、電装ボックス等の電気要素部が配置された冷凍装置の室外ユニットにおいて、
前記中間部横材を支えるように前記下部室の前記支柱間に配置された中間支柱は、その上端部と下端部がネジにて前記ケーシングに着脱自在であり、前記中間支柱の上端部には、前記中間支柱の取り外しによって下方へ撓んだ前記中間部横材を、ネジの回転によって正規の略水平状態に矯正しその状態に支持する支持部を備えたことを特徴とする冷凍装置の室外ユニット。
【請求項２】
前記支持部は、前記中間支柱側に螺合し回転によって上方へ進出するネジを有し、このネジによって前記撓んだ中間部横材を押し上げ正規の略水平状態に矯正することを特徴とする請求項１に記載の冷凍装置の室外ユニット。
【請求項３】
前記支持部は、前記支持部と前記中間部横材とを連結する連結用ネジと、前記支持部側に螺合し回転によって前記支持部から上方へ進出することにより下方へ撓んだ前記中間部横材を正規の略水平状態に矯正する第１矯正用ネジとを備えたことを特徴とする請求項１に記載の冷凍装置の室外ユニット。
【請求項４】
前記支持部は、フランジ状取り付け部と、前記取り付け部と前記下部室の上部の前記中間部横材とを連結する連結用ネジと、前記取り付け部に螺合し上方へ進出して下方へ撓んだ前記中間部横材を正規の略水平状態に押し上げる第１矯正用ネジとを備えたことを特徴とする請求項１に記載の冷凍装置の室外ユニット。
【請求項５】
四隅に配置された支柱とこれら支柱に渡る上部横材、中間部横材、下部横材にて骨組み構成された横長のケーシング内が、前記中間部横材に支持された仕切り板にて上部室と下部室に区画され、前記上部室に熱交換器及び上方に送風する送風機が配置され、前記下部室に圧縮機、電磁弁、電装ボックス等の電気要素部が配置された冷凍装置の室外ユニットにおいて、
前記中間部横材を支えるように前記下部室の前記支柱間に配置された中間支柱は、その上端部と下端部がネジにて前記ケーシングに着脱自在であり、前記中間部横材側に螺合する第２矯正用ネジを設け、前記第２矯正用ネジの回転に伴う前記第２矯正用ネジが中間支柱を押すときの反作用によって、前記中間支柱の取り外しによって下方へ撓んだ前記中間部横材が正規の略水平状態に引き上げられることを特徴とする冷凍装置の室外ユニット。
【請求項６】
前記中間支柱の上端部には、前記中間部横材の上面側に延びるフランジ状取り付け部を備え、前記取り付け部が前記中間部横材の上面側に配置された状態で、前記第２矯正用ネジが前記取り付け部を貫通して前記中間部横材に螺合し、前記第２矯正用ネジの頭部が前記取り付け部の上面に当接した状態での前記第２矯正用ネジの回転に伴い、前記下方へ撓んだ前記中間部横材が正規の略水平状態に引き上げられることを特徴とする請求項５に記載の冷凍装置の室外ユニット。
【請求項７】
前記下部室の上部の前記中間部横材には、前記中間支柱の上端部を取り付けるよう張り出した固定部を備え、前記中間支柱の上端部には、前記下部室の上部の前記中間部横材の上面側に延びるフランジ状取り付け部と、前記取り付け部を支える支持フランジを備え、前記取り付け部が前記中間部横材の上面側に配置された状態で、前記第２矯正用ネジが前記取り付け部を貫通して前記下部室の上部の前記中間部横材に螺合し、前記第２矯正用ネジの頭部が前記取り付け部の上面に当接した状態での前記第２矯正用ネジの回転に伴い、前記下方へ撓んだ前記中間部横材が正規の略水平状態に引き上げられることを特徴とする請求項５に記載の冷凍装置の室外ユニット。
【請求項８】
前記下部室の上部の前記中間部横材には、前記中間支柱の上端部を取り付けるよう張り出し係合溝を形成した固定部を備え、前記中間支柱の上端部には、前記下部室の上部の前記中間部横材の上面側に延びるフランジ状取り付け部と、前記係合溝に係合する係合部を備え、前記係合部が前記係合溝に係合し前記取り付け部が前記中間部横材の上面側に配置された状態で、前記第２矯正用ネジが前記取り付け部を貫通して前記下部室の上部の前記中間部横材に螺合し、前記第２矯正用ネジの頭部が前記取り付け部の上面に当接した状態での前記第２矯正用ネジの回転に伴い、前記下方へ撓んだ前記中間部横材が正規の略水平状態に引き上げられることを特徴とする請求項５に記載の冷凍装置の室外ユニット。
【請求項９】
前記下部室の上部の前記中間部横材には、前記中間支柱の上端部を取り付けるよう張り出し係合溝を形成した固定部を備え、前記中間支柱の上端部には、前記下部室の上部の前記中間部横材の上面側に延びるフランジ状取り付け部と、前記取り付け部を支える支持フランジの作用をなしつつ前記係合溝に係合する係合部を備え、前記係合部が前記係合溝に係合し前記取り付け部が前記中間部横材の上面側に配置された状態で、前記第２矯正用ネジが前記取り付け部を貫通して前記下部室の上部の前記中間部横材に螺合し、前記第２矯正用ネジの頭部が前記取り付け部の上面に当接した状態での前記第２矯正用ネジの回転に伴い、前記下方へ撓んだ前記中間部横材が正規の略水平状態に引き上げられることを特徴とする請求項５に記載の冷凍装置の室外ユニット。
【発明の詳細な説明】
【技術分野】
【０００１】
本発明は、冷凍装置の室外ユニットに関するものであり、特に、プレハブ式冷凍庫のように断熱壁によって囲まれた大きな庫内を所定の冷凍温度に冷却する冷凍装置や、大型冷凍ショーケースの庫内を所定の冷凍温度に冷却する冷凍装置等の室外ユニットにおいて、室外ユニット内の圧縮機等の取り外し・取り付けを伴う保守・点検をし易くする技術に関する。
【背景技術】
【０００２】
本発明の背景として、本発明は冷凍装置の室外ユニットに関するものであり、その代表的なものとして、プレハブ式冷凍庫のように、断熱壁によって囲まれた数十坪のように大きな庫内を例えば−６０℃のような冷凍温度に冷却する冷凍装置や、冷凍ショーケースの庫内を例えば−３０℃の冷凍温度に冷却する冷凍装置がある。この冷凍装置は、圧縮機に大型の二段スクリュー圧縮機が使用され、それに配管接続されるオイルセパレータ、凝縮器、レシーバタンク等を含むコンデンシングユニット部は大型化する。このため、室外ユニットの骨格を構成するケーシングは、支柱とそれに亘る横材（桁または梁とも称する）によって強固に構成され、その中にコンデンシングユニット部が収容される。一方、室外ユニット内の圧縮機等は、定期的または臨時に必要に応じて分解を伴う保守・点検を行なう必要がある。
【０００３】
また、従来技術として、二段スクリュー圧縮機１を備えたプレハブ冷蔵庫等の冷凍装置において、ユニットケース４０内は上下に仕切られ、下部には機械室４１が形成され、上部には熱交換室４２が形成され、熱交換室４２にはＶ字型コンデンサ６が配列され、コンデンサ６の間にコンデンサファンモータ４３が収納され、機械室４１には、二段スクリュー圧縮機１とレシーバタンク８が収納されたものがある（特許文献１）。
【先行技術文献】
【特許文献】
【０００４】
【特許文献１】特開２０００−１３０８７１号公報
【発明の概要】
【発明が解決しようとする課題】
【０００５】
上記のように、室外ユニット内の二段スクリュー圧縮機等は、定期的または臨時に保守・点検が必要であるが、室外ユニット内に収容した状態では作業性が悪い。また、上記のように室外ユニットの骨格を構成するケーシングは、支柱とそれに亘る横材（桁または梁とも称する）によって強固に構成されるため、特に大型の二段スクリュー圧縮機の分解を伴う保守・点検が必要な場合には、支柱が邪魔で更に作業性が悪い。しかし、特許文献１は、ユニットケース４０内の圧縮機等の保守・点検を行なうことについての記載は無く、その場合の作業のし易さについての技術は記載されておらず、特に大型の二段スクリュー圧縮機の分解を伴う保守・点検を行う場合についての類推される事項もない。
【０００６】
本発明は、室外ユニット内の二段スクリュー圧縮機等は、定期的または臨時に保守・点検が必要であることに鑑み、特に圧縮機の分解を伴う保守・点検時の圧縮機の取り外し・取り付けをし易くする技術を提供するものである。
【０００７】
そこで、本発明は、四隅に配置された支柱とそれに亘る横材（桁または梁とも称する）によって骨組み構成されたケーシング内が上部室と下部室に区画され、前記上部室に熱交換器及び上方に送風する送風機が配置され、前記下部室に横方向に長い圧縮機、電磁弁、電装ボックス等の電気要素部が配置された冷凍装置の室外ユニットにおいて、圧縮機の分解を伴う保守・点検作業時の圧縮機の取り外し・取り付けをし易くするために、圧縮機に対応した下部室の中間支柱を着脱可能な構成とする技術を提供するものである。
【０００８】
しかし、圧縮機に対応した下部室の中間支柱を取り外した場合、特に上部室の熱交換器等の大きな荷重によって前記横材（桁または梁とも称する）が下方へ撓み、ケーシングの強度不足が生じる。このため、圧縮機の保守・点検作業が終了したときは、取り外した中間支柱を取り付けて前記撓みを矯正して正規状態にケーシングを維持する必要がある。
【０００９】
この点に鑑み、本発明は、圧縮機に対応した下部室の中間支柱は、撓んだ横材が略水平状態を保つように横材を上方へ押し上げ維持する支持部を有し、ケーシングに着脱自在とした技術を提供するものである。
【００１０】
本発明は、特に、圧縮機に大型の二段スクリュー圧縮機のように横方向に長い圧縮機が使用され、それに配管接続されるオイルセパレータ、凝縮器、レシーバタンク等を含むコンデンシングユニット部を収容する大型化した室外ユニットにおいて、室外ユニットの骨格を構成するケーシングが、四隅に配置された支柱とそれに亘る横材（桁または梁とも称する）によって強固に構成される場合、大型の二段スクリュー圧縮機の分解を伴う保守・点検時の作業性の向上のために、下部室の四隅に配置された支柱間に配置された中間支柱は、着脱自在であり、且つ、この中間支柱は、作業終了後の室外ユニットの正常状態維持のために必要な構成となっている技術を提供するものである。
【課題を解決するための手段】
【００１１】
第１発明は、四隅に配置された支柱とこれら支柱に渡る上部横材、中間部横材、下部横材にて骨組み構成された横長のケーシング内が、前記中間部横材に支持された仕切り板にて上部室と下部室に区画され、前記上部室に熱交換器及び上方に送風する送風機が配置され、前記下部室に圧縮機、電磁弁、電装ボックス等の電気要素部が配置された冷凍装置の室外ユニットにおいて、前記中間部横材を支えるように前記下部室の前記支柱間に配置された中間支柱は、その上端部と下端部がネジにて前記ケーシングに着脱自在であり、前記中間支柱の上端部には、前記中間支柱の取り外しによって下方へ撓んだ前記中間部横材を、ネジの回転によって正規の略水平状態に矯正しその状態に支持する支持部を備えたことを特徴とする。
【００１２】
第２発明は、第１発明において、前記支持部９０は、前記中間支柱６２Ｆ側に螺合し回転によって上方へ進出するネジを有し、このネジによって前記撓んだ中間部横材を押し上げ正規の略水平状態に矯正することを特徴とする。
【００１３】
第３発明は、第１発明において、前記支持部９０は、前記支持部９０と前記中間部横材６３Ｆ１とを連結する連結用ネジ９６Ａと、前記支持部９０側に螺合し回転によって前記支持部９０から上方へ進出することにより下方へ撓んだ前記中間部横材６３Ｆ１を正規の略水平状態に矯正する第１矯正用ネジ９７Ａとを備えたことを特徴とする。
【００１４】
第４発明は、第１発明において、前記支持部９０は、フランジ状取り付け部９１と、前記取り付け部９１と前記下部室６５の上部の前記中間部横材６３Ｆ１とを連結する連結用ネジ９６Ａと、前記取り付け部９１に螺合し上方へ進出して下方へ撓んだ前記中間部横材６３Ｆ１を正規の略水平状態に押し上げる第１矯正用ネジ９７Ａとを備えたことを特徴とする。
【００１５】
第５発明は、四隅に配置された支柱とこれら支柱に渡る上部横材、中間部横材、下部横材にて骨組み構成された横長のケーシング内が、前記中間部横材に支持された仕切り板にて上部室と下部室に区画され、前記上部室に熱交換器及び上方に送風する送風機が配置され、前記下部室に圧縮機、電磁弁、電装ボックス等の電気要素部が配置された冷凍装置の室外ユニットにおいて、前記中間部横材６３Ｆを支えるように前記下部室６４の前記支柱６２間に配置された中間支柱６２Ｆは、その上端部と下端部がネジ９６Ａ、９６Ｃにて前記ケーシング６１に着脱自在であり、前記中間部横材６３Ｆ側に螺合する第２矯正用ネジ９６Ｂを設け、前記第２矯正用ネジ９６Ｂの回転に伴う前記第２矯正用ネジ９６Ｂが中間支柱６２Ｆを押すときの反作用によって、前記中間支柱６２Ｆの取り外しによって下方へ撓んだ前記中間部横材６３Ｆが正規の略水平状態に引き上げられることを特徴とする。
【００１６】
第６発明は、第５発明において、前記中間支柱６２Ｆの上端部には、前記中間部横材６３Ｆ１の上面側に延びるフランジ状取り付け部を備え、前記取り付け部９１が前記中間部横材６３Ｆ１の上面側に配置された状態で、前記第２矯正用ネジ９６Ｂが前記取り付け部９１を貫通して前記中間部横材６３Ｆ１に螺合し、前記第２矯正用ネジ９６Ｂの頭部が前記取り付け部９１の上面に当接した状態での前記第２矯正用ネジ９６Ｂの回転に伴い、前記下方へ撓んだ前記中間部横材６３Ｆ１が正規の略水平状態に引き上げられることを特徴とする。
【００１７】
第７発明は、第５発明において、前記下部室の上部の前記中間部横材６３Ｆ１には、前記中間支柱６２Ｆの上端部を取り付けるよう張り出した固定部９５を備え、前記中間支柱６２Ｆの上端部には、前記下部室６５の上部の前記中間部横材６３Ｆ１の上面側に延びるフランジ状取り付け部９１と、前記取り付け部９１を支える支持フランジ１０２、１０２Ｐを備え、前記取り付け部９１が前記中間部横材６３Ｆ１の上面側に配置された状態で、前記第２矯正用ネジ９６Ｂが前記取り付け部９１を貫通して前記下部室６５の上部の前記中間部横材６３Ｆ１に螺合し、前記第２矯正用ネジ９６Ｂの頭部が前記取り付け部９１の上面に当接した状態での前記第２矯正用ネジ９６Ｂの回転に伴い、前記下方へ撓んだ前記中間部横材６３Ｆ１が正規の略水平状態に引き上げられることを特徴とする。
【００１８】
第８発明は、第５発明において、前記下部室６５の上部の前記中間部横材６３Ｆ１には、前記中間支柱６２Ｆの上端部を取り付けるよう張り出し係合溝１０１を形成した固定部９５を備え、前記中間支柱６２Ｆの上端部には、前記下部室６５の上部の前記中間部横材６３Ｆ１の上面側に延びるフランジ状取り付け部９１と、前記係合溝１０１に係合する係合部１０２を備え、前記係合部１０２が前記係合溝１０１に係合し前記取り付け部９１が前記中間部横材６３Ｆ１の上面側に配置された状態で、前記第２矯正用ネジ９６Ｂが前記取り付け部９１を貫通して前記下部室６５の上部の前記中間部横材６３Ｆ１に螺合し、前記第２矯正用ネジ９６Ｂの頭部が前記取り付け部９１の上面に当接した状態での前記第２矯正用ネジ９６Ｂの回転に伴い、前記下方へ撓んだ前記中間部横材６３Ｆ１が正規の略水平状態に引き上げられることを特徴とする。
【００１９】
第９発明は、第５発明において、前記下部室６５の上部の前記中間部横材６３Ｆ１には、前記中間支柱６２Ｆの上端部を取り付けるよう張り出し係合溝１０１を形成した固定部９５を備え、前記中間支柱６２Ｆの上端部には、前記下部室６５の上部の前記中間部横材６３Ｆ１の上面側に延びるフランジ状取り付け部９１と、前記取り付け部９１を支える支持フランジ１０２、１０２Ｐの作用をなしつつ前記係合溝１０１に係合する係合部１０２を備え、係合部１０２が前記係合溝１０１に係合し前記取り付け部９１が前記中間部横材６３Ｆ１の上面側に配置された状態で、前記第２矯正用ネジ９６Ｂが前記取り付け部９１を貫通して前記下部室６５の上部の前記中間部横材６３Ｆ１に螺合し、前記第２矯正用ネジ９６Ｂの頭部が前記取り付け部９１の上面に当接した状態での前記第２矯正用ネジ９６Ｂの回転に伴い、前記下方へ撓んだ前記中間部横材６３Ｆ１が正規の略水平状態に引き上げられることを特徴とする。
【発明の効果】
【００２０】
第１発明では、圧縮機の分解を伴う保守・点検時の作業の際に中間支柱が取り外されると、この中間支柱によって支えられていた中間部横材は、上部室の熱交換器等の荷重によって下方へ撓む。しかし、この作業の終了にてこの中間支柱を取り付け、撓んだ中間部横材は、ネジの回転によって撓みが矯正されて正規の略水平状態になる構成であるため、撓んだ中間部横材を上方へ押し上げるように中間支柱を強力に挿入する作業が不要となり、中間支柱の取り付け作業がし易くなる。そして、中間部横材の撓みが矯正された状態で中間支柱が取り付けられるため、ケーシングの強度不足は解消され、ケーシングを正規の状態に維持することができるものとなる。
【００２１】
第２発明は、第１実施形態に係るものであり、中間支柱側に螺合したネジの回転によって撓んだ中間部横材を押し上げ、撓んだ中間部横材を正規の略水平状態に矯正する技術である。中間支柱の上端部の支持部に設けたネジの回転によって撓みが矯正されて正規の略水平状態になる構成であるため、撓んだ中間部横材の下側へ中間支柱を強力に挿入することにより撓んだ中間部横材を上方へ押し上げる方法に比して、中間支柱を強力に挿入する作業が不要となり、中間支柱の取り付け作業がし易くなる。そして、中間部横材の撓みが矯正された状態に中間支柱が取り付けられるため、ケーシングの強度不足は解消され、ケーシングを正規の状態に維持することができるものとなる。
【００２２】
第３発明では、第１実施形態に係るものであり、中間支柱の上端部の支持部と下部室の上部の中間部横材は連結用ネジにて連結されるため、この連結が安定し、この連結用ネジとは別に支持部側に螺合し回転によって支持部から上方へ進出するように設けた第１矯正用ネジの回転によって、下方へ撓んだ中間部横材を正規の略水平状態に矯正するため、撓んだ中間部横材の矯正を良好に行なうことができ、第２発明の効果と同様の効果を奏するものとなる。
【００２３】
第４発明では、第１実施形態に係るものであり、中間支柱の上端部の支持部にはフランジ状取り付け部を備え、このフランジ状取り付け部と下部室の上部の中間部横材とが連結用ネジにて連結されるため、この連結が安定し、この連結用ネジとは別に、このフランジ状取り付け部に螺合し回転によって支持部から上方へ進出するように設けた第１矯正用ネジの回転によって、下方へ撓んだ中間部横材を正規の略水平状態に矯正するため、撓んだ中間部横材の矯正を良好に行なうことができ、第２発明の効果と同様の効果を奏するものとなる。
【００２４】
第５発明は、第２実施形態に係るものであり、撓んだ中間部横材側に螺合したネジの回転に伴い、このネジが中間支柱を押すときの反作用によって、撓んだ中間部横材を正規の略水平状態に引き上げ矯正する技術である。このため、下部室の上部の中間部横材側に螺合する第２矯正用ネジを設け、この第２矯正用ネジの回転に伴い第２矯正用ネジが中間支柱を押すときの反作用によって、下方へ撓んだ下部室の上部の中間部横材が正規の略水平状態に引き上げられる構成であり、撓んだ中間部横材の下側へ中間支柱を強力に挿入することにより撓んだ中間部横材を上方へ押し上げる方法に比して、中間支柱を強力に挿入する作業が不要となり、中間支柱の取り付け作業がし易くなる。そして、中間部横材の撓みが矯正された状態に中間支柱が取り付けられるため、ケーシングの強度不足は解消され、ケーシングを正規の状態に維持することができるものとなる。
【００２５】
第６発明は、中間支柱の上端部に設けたフランジ状の取り付け部が、下部室の上部の中間部横材の上面側に配置された状態で、第２矯正用ネジが取り付け部を貫通して中間部横材に螺合し、第２矯正用ネジの頭部が取り付け部の上面に当接した状態での第２矯正用ネジの回転に伴って、下方へ撓んだ中間部横材が正規の略水平状態に引き上げられるため、第２矯正用ネジが中間支柱の上端部を中間部横材に取り付ける役目と中間部横材の撓みを矯正する役目の両方を担う構成である。そして、撓んだ中間部横材の下側へ中間支柱を強力に挿入することにより撓んだ中間部横材を上方へ押し上げる方法に比して、中間支柱の取り付け作業がし易くなる。更に、中間部横材の撓みが矯正された状態に中間支柱が取り付けられるため、ケーシングの強度不足は解消され、ケーシングを正規の状態に維持することができるものとなり、第２発明の効果と同様の効果を奏するものとなる。
【００２６】
第７発明は、中間支柱の上端部に取り付け部を支える支持フランジを設けるため、第２矯正用ネジの回転に伴って下方へ撓んだ中間部横材を正規の略水平状態に引き上げられる際に、第２矯正用ネジの回転に伴って生じる作用力が取り付け部へ掛かっても、取り付け部が下方へ移動することなく、安定して中間部横材の引き上げが得られるものとなり、第６発明の効果と同様の効果を奏するものとなる。
【００２７】
第８発明では、中間支柱の上端部の係合部が、下部室の上部の中間部横材に設けた固定部に形成した係合溝に係合する構成であるため、中間部横材に対する中間支柱の上部の位置決めが正確となり、この状態で、第２矯正用ネジの回転に伴って下方へ撓んだ中間部横材が正規の略水平状態に引き上げられることにより、安定して中間部横材の引き上げが得られるものとなり、第６発明の効果と同様の効果を奏するものとなる。
【００２８】
第９発明では、第８発明における中間支柱の上端部の係合部が、第７発明における取り付け部を支える支持フランジと共通であるため、第７発明及び第８発明の両方の効果を奏するものとなる。
【図面の簡単な説明】
【００２９】
【図１】本発明に係る冷凍装置の冷媒とオイルの回路を示す図である。
【図２】図１の冷凍装置の制御装置に係る概略図である。
【図３】本発明に係る冷凍装置の圧力スイッチがカットイン（ＯＮ）及びカットアウト（ＯＦＦ）動作する標準圧力設定値のテーブル図である。
【図４】本発明に係る冷凍装置の二段スクリュー圧縮機が容量制御モードで運転される場合の圧力スイッチによるカットイン（ＯＮ）及びカットアウト（ＯＦＦ）動作状態を示す図である。
【図５】本発明に係る冷凍装置の室外ユニットの正面側斜視図である。
【図６】図５の左側の送風口中央部に対応する縦断側面図である。
【図７】本発明に係る冷凍装置の室外ユニットの上部室の熱交換器と下部室の外装パネルを外した状態の正面側斜視図である。
【図８】図６の換気口及び水受けガイド部材の拡大図である。
【図９】本発明に係る室外ユニットの骨組み構成された横長のケーシングの下部室の斜視図である。
【図１０】本発明に係る室外ユニットの下部室の着脱自在な中間支柱部分の斜視図である。
【図１１】本発明の第１実施形態に係る下部室の着脱自在な中間支柱の上端と中間部横材の関係を示す分解斜視図である。
【図１２】本発明の第１実施形態に係る下部室の着脱自在な中間支柱の下端と横材への取り付け部の関係を示す分解斜視図である。
【図１３】本発明の第１実施形態に係る室外ユニットの下部室の着脱自在な中間支柱の上端とこれに対応する中間部横材に設けた固定部の関係を示す分解斜視図である。
【図１４】本発明の第１実施形態に係る室外ユニットの下部室の着脱自在な中間支柱の上端をこれに対応する中間部横材に設けた固定部に取り付けた状態を下方から見た斜視図である。
【図１５】本発明の第１実施形態に係る室外ユニットの下部室の着脱自在な中間支柱の上端をこれに対応する中間部横材に設けた固定部に取り付けた状態の正面図である。
【図１６】本発明の第１実施形態に係る室外ユニットの下部室の着脱自在な中間支柱の上端をこれに対応する中間部横材に設けた固定部に取り付けた状態の背面図である。
【図１７】本発明の第１実施形態に係る室外ユニットの下部室の着脱自在な中間支柱の上端をこれに対応する中間部横材に設けた固定部に取り付けた状態の断面図である。
【図１８】本発明の第２実施形態に係る室外ユニットの下部室の着脱自在な中間支柱の上端とこれに対応する中間部横材に設けた固定部の関係を示す分解斜視図である。
【図１９】本発明の第２実施形態に係る室外ユニットの下部室の着脱自在な中間支柱の上端をこれに対応する中間部横材に設けた固定部に取り付けた状態を下方から見た斜視図である。
【図２０】本発明の第２実施形態に係る室外ユニットの下部室の着脱自在な中間支柱の上端をこれに対応する中間部横材に設けた固定部に取り付けた状態を上方から見た斜視図である。
【図２１】本発明の第２実施形態に係る室外ユニットの下部室の着脱自在な中間支柱の上端をこれに対応する中間部横材に設けた固定部に取り付けた状態の正面図である。
【図２２】本発明の第２実施形態に係る室外ユニットの下部室の着脱自在な中間支柱の上端をこれに対応する中間部横材に設けた固定部に取り付け、撓んだ横材を第２矯正用ネジによって引き上げる前の状態の説明図である。
【発明を実施するための形態】
【００３０】
本発明は、四隅に配置された支柱６２とこれら支柱６２に渡る上部横材６３Ｔ、中間部横材６３Ｆ、下部横材６３Ｓにて骨組み構成された横長のケーシング６１内が、前記中間部横材６３Ｆに支持された仕切り板６６にて上部室６４と下部室６５に区画され、前記上部室６４に熱交換器２０及び上方に送風する送風機Ｆ１、Ｆ２、Ｆ３が配置され、前記下部室６５に圧縮機１０、電磁弁、電装ボックス等の電気要素部が配置された冷凍装置の室外ユニット６０において、
前記中間部横材６３Ｆを支えるように前記下部室６５の前記支柱６２間に配置された中間支柱６２Ｆは、その上端部と下端部がネジ９６Ａ、９６Ｃにて前記ケーシング６１に着脱自在であり、前記中間支柱６２Ｆの上端部には、前記中間支柱６２Ｆの取り外しによって下方へ撓んだ前記中間部横材６３Ｆを、ネジの回転によって正規の略水平状態に矯正しその状態に支持する支持部９０を備えたものであり、以下にその実施例を記載する。
【実施例１】
【００３１】
以下、本発明の実施例を説明する。図１は、スクリュー圧縮機の一例としての二段スクリュー圧縮機１０を１台のみを有した冷凍装置ＲＴであり、この圧縮機１０は、低圧部１０ａ、中間圧部１０ｂ、高圧部１０ｃを備えている。この低圧部１０ａに吸込管１２を介して吸入される冷媒ガスは該圧縮機１０で圧縮されて高圧部１０ｃから吐出される。圧縮機１０内で圧縮用気密を保つために使用されるオイルの混入した冷媒ガスが吐出され、吐出管１４を経てオイルセパレータ１６に流入し、ここで冷媒ガス中のオイルが除去された後、管１８を経て冷媒ガスが凝縮器２０に流入する。凝縮器２０で凝縮、液化した冷媒は、管２２を経て一旦レシーバタンク２４に流入した後に再度前記凝縮器２０を通過させる。この実施形態例では、前記凝縮器２０は空冷式であり、凝縮器２０用送風機として３個の例えばＤＣモータによる冷却ファンＦ１，Ｆ２，Ｆ３を使用している。ファンの個数は２個でも、また、４個以上でもよい。
【００３２】
以後、この冷媒液は主回路２６に流入する。この主回路２６は、フィルタドライヤ２８、モイスチャインジケータ３０からチーズ３１Ａ、電磁弁Ｍｇ１、膨張弁３３Ａ、過冷却器３４の一次側、中間圧部１０ｂと連なる過冷却回路３２を備えている。一方、過冷却器３４の二次側は、管３６、膨張弁３７を経て、プレハブ式冷凍庫や冷凍ショーケース等の冷凍機器の冷凍庫内の冷却器、即ちエバボレータ３８に連通し、このエバポレータ３８を出ると前記吸入管１２に連なる。
【００３３】
また、チーズ３１Ａの下流のチーズ３１Ｂには、電磁弁Ｍｇ２を経てオイルクーラ４０に連なった後、中間圧部１０ｂに連通するオイル冷却回路３９が形成されている。オイルクーラ４０には、オイルセパレータ１６で分離されたオイルが、管４２を介してオイルクーラ４０に流入し、ここで前記オイル冷却回路を流れる冷媒で冷却された後、オイルフィルタ４４、管４６を通って圧縮機１０に戻される。
【００３４】
また、チーズ３１Ｂには、インジェクション回路３５が接続され、インジェクション回路３５は、電磁弁Ｍｇ３及び膨張弁３３Ｂを経て二段スクリュー圧縮機１０に連なり、温度センサ３３Ｂ１が所定温度を検出した時、膨張弁３３Ｂが開いてインジェクション回路３５から二段スクリュー圧縮機１０に冷却用冷媒が供給される。
【００３５】
また、管４６には、管４８を介してアンロード用電磁弁（三方電磁弁）５０が接続されており、この管４８は、アンロード用電磁弁５０を介して管５２と接続されており、管５２の他端は圧縮機１０の中間圧部１０ｂに接続されている。更に、この管５２と前記管４８とは、アンロード用電磁弁５０を介して管５４と接続されており、該管５４の他端は圧縮機１０の低圧部１０ａに接続されている。
【００３６】
このアンロード用電磁弁５０に通電（又は非通電）して、管５２と管５４を連通させた状態では、図示を省略したアンロード機構の作動ピストン弁に加わる圧力が低圧となって該作動ピストン弁がばねに付勢されて所定の位置から移動し、これによって圧縮された冷媒ガスの一部が吸入側に戻るようになる。このことによって二段スクリュー圧縮機１０は、容量（能力）が、例えば５０％に低下したアンロード運転となる。また、逆にアンロード用電磁弁５０が非通電（又は通電）となって、オイルが管５４へ流入する弁が閉じられて管４８と管５２のみを連通させた状態では、アンロード機構の作動ピストン弁に加わる圧力は、管４６を流れるオイル圧に近くて高圧であり、前記作動ピストン弁をばね付勢に抗して押圧して所定位置に保持し、これによって二段スクリュー圧縮機１０は、容量１００％のフルロード運転となる。
【００３７】
図２には、マイクロコンピュータＭＣ、メモリＭＲ等を含む制御部５５Ａとそれに係る入力及び出力に係る各部を備えた制御装置５５を示している。圧縮機１０の低圧部１０ａには低圧側圧力スイッチＳ１を設けており、この圧力スイッチＳ１の出力は、制御部５５Ａに入力される。また高圧部１０ｃには高圧側圧力スイッチＳ３を設けており、この出力も制御部５５Ａに入力され、所定高圧の検知によって、冷凍装置ＲＴの運転を停止する制御が行われる。
【００３８】
圧力スイッチＳ１がカットイン（ＯＮ）及びカットアウト（ＯＦＦ）動作する圧力設定値のテーブルが、メモリＭＲに設定されている。この圧力設定値は、運転管理者が任意に設定可能であるが、標準的な運転制御ができる標準圧力設定値として、図３に示す標準圧力設定値のテーブルが、冷凍装置ＲＴの出荷時に設定されている。図３に示す標準圧力設定値は、冷凍装置ＲＴが一つの冷凍庫に適用された場合を示している。
【００３９】
本発明の冷凍装置ＲＴは、二段スクリュー圧縮機１０の低圧側圧力を検出する圧力スイッチＳ１の検知に基づき、二段スクリュー圧縮機１０の運転が制御される容量制御式の二段スクリュー圧縮機１０を備えたものであり、二段スクリュー圧縮機１０の運転が、容量制御モードで運転されるものである。
【００４０】
圧力スイッチＳ１がカットイン（ＯＮ）及びカットアウト（ＯＦＦ）動作する設定値が、予めメモリＭＲの制御テーブルに記憶されている。実施例におけるこのカットイン（ＯＮ）及びカットアウト（ＯＦＦ）の設定値は、図３に示すように、３個の制御値としてＫ１、Ｋ２、Ｋ３が設定されている。
【００４１】
圧力スイッチＳ１は、図３に示すように、標準圧力設定値のテーブルは、二段スクリュー圧縮機１０の容量制御を行うための複数の制御値として、Ｋ１、Ｋ２、Ｋ３が設定されている。このＫ１、Ｋ２、Ｋ３の３個の動作ステージに示す圧力設定値において、カットイン（ＯＮ）及びカットアウト（ＯＦＦ）動作する第１スイッチＳ１Ａと第２スイッチＳ１Ｂを備えている。この標準圧力設定値は、図３に示したものに限定されない。
【００４２】
この具体的な制御について説明する。選択スタートスイッチＳＴをＯＮしたとき、マイクロコンピュータＭＣの動作によって、液晶などの文字や図形を表示する表示器ＬＣＤには、図３に示したテーブル図に標準圧力設定値Ｋ１、Ｋ２、Ｋ３のうちの一つがマーク表示され、またはそのときの標準圧力設定値Ｋ１、Ｋ２、Ｋ３のうちの一つが表示される。この表示を確認し、例えば、Ｋ１が表示されておれば、アップスイッチＳＵを１回ＯＮすることにより、またはダウンスイッチＳＤを２回ＯＮすることにより、マイクロコンピュータＭＣの動作によってＫ２が選択され、選択した第１制御値Ｋ２の内容、即ち、図３に示す第１制御値Ｋ２の欄に表示した庫内温度、用途、蒸発温度、第１スイッチＳ１ＡのＯＮ／ＯＦＦ／停止時間、第２スイッチＳ１ＢのＯＮ１／ＯＦＦ１／停止時間１、及び容量制御の有／無、を表示する文字と数値が、表示器ＬＣＤに表示される。これを確認してＯＫならば、確認を兼用したスタートスイッチＳ４をＯＮすることにより、冷凍装置ＲＴが始動し、二段スクリュー圧縮機１０及び冷却ファンＦ１、Ｆ２、Ｆ３が始動する。そして、第１制御値Ｋ２によって、圧力スイッチＳ１がカットイン（ＯＮ）及びカットアウト（ＯＦＦ）動作を行って、アンロード用電磁弁５０に通電（又は非通電）して、二段スクリュー圧縮機１０は所定の容量制御モードで運転される。
【００４３】
上記のように、第１制御値Ｋ２が選択された状態において、スタートスイッチＳ４をＯＮした場合、二段スクリュー圧縮機１０及び冷却ファンＦ１、Ｆ２、Ｆ３が直ちに起動せず、例えば１０分のように所定時間、その起動が禁止される。これは、その前まで二段スクリュー圧縮機１０が運転状態にあった場合には、高温になっているため、直ちに起動すればスクリューの噛み合い部分が破損等の危険が生じるため、これを避けるためである。
【００４４】
そして、この所定時間１０分経過したとき、冷凍庫の庫内温度が高く、エバボレータ３８の冷媒温度上昇が大きいことにより、二段スクリュー圧縮機１０の吸入側である低圧部１０ａの圧力（低圧側圧力）が上昇して、圧力スイッチＳ１の第１スイッチＳ１Ａのカットイン（ＯＮ）値の０．０７０ＭＰａ以上であれば、第１スイッチＳ１Ａが閉じて、マイクロコンピュータＭＣの動作によって、二段スクリュー圧縮機１０が起動すると共に、アンロード用電磁弁５０に通電（又は非通電）して、５０％のアンロード運転となる。冷却ファンＦ１、Ｆ２、Ｆ３も起動する。
【００４５】
この起動から３０秒経過したとき、マイクロコンピュータＭＣの動作によって、アンロード用電磁弁５０が非通電（又は通電）となり、二段スクリュー圧縮機１０が１００％フルロード運転となる。
【００４６】
更に二段スクリュー圧縮機１０が１００％フルロード運転を継続することにより、冷凍庫の庫内温度が更に低下し、低圧部１０ａの圧力（低圧側圧力）が更に降下して、第１スイッチＳ１Ａのカットアウト（ＯＦＦ）値の０．０２０ＭＰａ以下に低下したとき、第１スイッチＳ１Ａが開く。これによって、第２スイッチＳ１Ｂが閉じているため、マイクロコンピュータＭＣの動作によって、アンロード用電磁弁５０に通電（又は非通電）して、二段スクリュー圧縮機１０が５０％のアンロード運転に切り替わる。そして、冷凍庫の庫内温度が更に低下し、低圧部１０ａの圧力（低圧側圧力）が更に降下して、第２スイッチＳ１Ｂのカットアウト（ＯＦＦ）値の０．０００ＭＰａ（図４のＯＦＦ１）以下に低下したとき、第２スイッチＳ１Ｂが開き、二段スクリュー圧縮機１０の運転が停止する。
【００４７】
この二段スクリュー圧縮機１０の運転停止によって、冷凍庫の庫内温度が上昇し、低圧部１０ａの圧力（低圧側圧力）が上昇して、第２スイッチＳ１Ｂのカットアウト（ＯＦＦ）を超えてカットイン（ＯＮ）値の０．０５０ＭＰａ（図４のＯＮ１）以上になると、第２スイッチＳ１Ｂが閉じ、マイクロコンピュータＭＣの動作によって、アンロード用電磁弁５０に通電（又は非通電）して、二段スクリュー圧縮機１０が５０％のアンロード運転を開始する。この運転によって、冷凍庫の庫内温度が低下し、低圧部１０ａの圧力（低圧側圧力）が降下して、第２スイッチＳ１Ｂのカットアウト（ＯＦＦ）値の０．０００ＭＰａ（図４のＯＦＦ１）以下に低下したとき、上記同様に、第２スイッチＳ１Ｂが開き、二段スクリュー圧縮機１０の運転が停止する。
【００４８】
このように、第１制御値Ｋ２が選択された状態で、二段スクリュー圧縮機１０の運転が容量制御モードとなり、図３に示すように、エバボレータ３８の蒸発温度が、−４５℃〜−４０℃の範囲で制御され、冷凍庫の庫内温度が−３０℃〜−２２℃の範囲で制御される。なお、第１制御値Ｋ１またはＫ３が選択されたときも、上記同様である。
【００４９】
次に、図５乃至図２２に基づき、冷凍装置ＲＴの室外ユニット６０の構成について説明する。室外ユニット６０には、図１に点線で示す膨張弁３７及びエバボレータ３８を含む配管部分を除いた、実線で示す各部が室外ユニット６０の骨格を形成するケーシング６１内に収容配置されている。ケーシング６１は、全体が左右方向に横長の直方形状体をなすように、四隅に配置された支柱６２によって横材（桁または梁とも称する）６３を支えるように骨組み構成された横長のケーシング６１内が、仕切り板６６によって上部室６４と下部室６５に仕切られている。また、左右方向に横長のケーシング６１の補強のために、下部室６５の前面側と背面側の上部の横材６３を支えるように、下部室６５の四隅の支柱６２間に中間支柱６２が取り付けられている。また、左右方向に横長のケーシング６１の補強のために、下部室６５の前面側と背面側では、隣り合う二つの支柱６２に斜めに亘る補強用筋交い８０が取り付けられている。
【００５０】
上部室６４には熱交換器である凝縮器２０と、送風機である冷却ファンＦ１、Ｆ２、Ｆ３、及びレシーバタンク２４がそれらに連なる配管と共に配置され、凝縮器２０は、冷却ファンＦ１、Ｆ２、Ｆ３及びレシーバタンク２４の周囲を取り囲むように、上部室６４の周縁部に外面露出状態に縦設置され、上部室６４の外観壁を構成する。下部室６５には横長の二段スクリュー圧縮機１０、電磁弁Ｍｇ１、Ｍｇ２、Ｍｇ３と、電装ボックス６７等の電気要素部が配置されている。
【００５１】
下部室６５には、更に、オイルセパレータ１６、フィルタドライヤ２８、モイスチャインジケータ３０、膨張弁３３Ａ、膨張弁３３Ｂ、過冷却器３４、オイルクーラ４０、オイルフィルタ４４、アンロード用電磁弁５０、その他のバルブ等がそれらに連なる配管と共に収容配置されている。
【００５２】
冷却ファンＦ１、Ｆ２、Ｆ３は、上方に向けて送風するように、ケーシング６１の上壁６９の前後の中央部に左右に略等間隔を存して円形状に開口した送風口６８に対して、上方に送風するように対応配置されている。レシーバタンク２４は、冷却ファンＦ１、Ｆ２、Ｆ３の下方の前側寄りの位置にて、仕切り板６６上に左右に長く横方向に配置されている。
【００５３】
下部室６５の前後及び左右を取り囲む周囲は、ケーシング６１の支柱６２及び中間支柱６２、並びに横材６３にネジにて着脱自在に取り付けられるように複数に分割された外装パネル７０によって覆われている。上記の構成によって、ケーシング６１は、その上部室６４は凝縮器２０にて囲まれ、下部室６５は外装パネル７０によって囲まれ、上面に送風口６８を形成した左右に長い直方体状をなし、内部に冷凍装置ＲＴを収容した室外ユニット６０を構成する。
【００５４】
室外ユニット６０は、冷却ファンＦ１、Ｆ２、Ｆ３によって送風口６８から温風が吹き出すため、屋外に設置されることがほとんどであり、そのためにケーシング６１内には、送風口６８や凝縮器２０を通して雨水が上部室６４に進入する。上部室６４に浸入した雨水が下部室６５に流入しないように仕切り板６６にて仕切られている。仕切り板６６は、主としてケーシング６１の横材６３にネジにて固定されている。
【００５５】
冷凍装置ＲＴのうち、上部室６４に配置した各部分と下部室６５に配置した各部分とを連結するための配管（具体的には凝縮器２０の出入り口配管７１、７２）と、電気配線（図示せず）が仕切り板６６を貫通配置されているが、これらが仕切り板６６を貫通する部分は、シリコン樹脂材等の防水シールによってこの部分から雨水が下部室６５に流入しないようにシールしている。また、仕切り板６６の取り付けネジ部や各部品の取り付けネジ部等の孔部分も、シリコン樹脂材等の防水シールによって、雨水が下部室６５に流入しないようにシールしている。このため、上部室６４に進入した雨水は、通常、仕切り板６６上を伝って仕切り板６６の周縁部から流下し、下部室６５の外装パネル７０の裏側領域から下部室６５の周辺部を通って、室外ユニット６０の下方へ流出し、下部室６５の電気要素部を濡らすことはない。
【００５６】
下部室６５には、二段スクリュー圧縮機１０等が収容されており、エバボレータ３８によって冷却される冷却負荷が大きい場合には、二段スクリュー圧縮機１０の負荷が大きくなり、二段スクリュー圧縮機１０の発熱が多くなる。下部室６５は外装パネル７０によって覆われており、この発熱が下部室６５の溜り下部室６５の温度が上昇するため、この発熱の排出を行う必要がある。このため、仕切り板６６には、下部室６５の空気を上部室６４へ流すための換気口７５が仕切り板６６を貫通して形成されている。
【００５７】
上記のように、通常の状態では、上部室６４に進入した雨水は、仕切り板６６上を伝って仕切り板６６の周縁部から流下するが、換気口７５が存在する場合は、上部室６４に進入した雨水の一部が換気口７５から下部室６５へ流下する虞がある。このため、換気口７５の上面周囲が防水土手７６で囲んで、換気口７５から下部室６５へ流下しないようにしている。図示のものは、防水土手７６の一部を換気口７５の上方へ斜めに張り出した風向板８５によって兼用している。
【００５８】
しかし、大雨状態の時には上部室６４に進入する雨水の量が多くなり、この防水土手７６をオーバーフローして換気口７５から下部室６５へ流下する虞がある。このため、図６乃至図８に示すように、オーバーフローして換気口７５から下部室６５へ流下する雨水を受ける水受けガイド部材７７が、換気口７５を下方から覆うように、仕切り板６６にフランジをネジ８１にて固定している。
【００５９】
換気口７５が本来の機能を維持しつつ、防水土手７６をオーバーフローして換気口７５から下部室６５へ流下する雨水を受けて、この雨水を所定の排水場所へ導くことが水受けガイド部材７７に求められる。このため、水受けガイド部材７７は、周囲壁７７Ｂと底壁７７Ｃで換気口７５に連通する上面開口７７Ａを形成し、下部室６５の空気を吸い込むと共に換気口７５から流下する雨水を排出する開口７７Ｄを周囲壁７７Ｂの一部に形成したダクト形態である。なお、周囲壁７７Ｂの前壁７７Ｂ１の上端を他の周囲壁７７Ｂよりも低くし、前壁７７Ｂ１の上方に下部室６５の空気吸い込み口７７Ｅを形成し、下部室６５の空気が換気口７５へ良好に導入されるようにしている。
【００６０】
図８に示すように、水受けガイド部材７７は、換気口７５から下部室６５へ流下する雨水を受け、その雨水を下部室６５に対応するケーシング６１の骨組みに斜めに取り付けた補強用筋交い８０へ流下させて、下方へ排水する構成である。
【００６１】
冷凍装置ＲＴの室外ユニット６０の大きさについて説明する。冷凍装置ＲＴがエバボレータ３８によって冷凍庫の庫内温度を例えば−６０℃に冷却する構成である場合、その一つの形態として構成される横長の直方形状体の室外ユニット６０の大きさは、左右寸法が略２９００ｍｍ、前後寸法が略９００ｍｍ、送風口６８までの高さが略２５００ｍｍである。
【００６２】
室外ユニット６０の骨格を構成するケーシング６１は、横長の直方形状体をなすように、支柱とそれに連結される横材（桁または梁とも称する）によって強固に構成されている。具体的には、四隅に配置された支柱６２とこれら支柱６２に渡る上部横材６３Ｔ、中間部横材６３Ｆ、下部横材６３Ｓにて骨組み構成された横長のケーシング６１が形成されている。このケーシング６１内が、中間部横材６３Ｆに支持された仕切り板６６にて上部室６４と下部室６５に区画され、上部室６４に熱交換器２０及び上方に送風する送風機Ｆ１、Ｆ２、Ｆ３が配置され、下部室６５に圧縮機１０、電磁弁Ｍｇ１〜Ｍｇ３、電装ボックス６７等の電気要素部が配置された冷凍装置の室外ユニット６０が構成されている。この室外ユニット６０は、中間部横材６３Ｆを支えるように下部室６５の支柱６２間に配置された中間支柱６２Ｆを備え、この中間支柱６２Ｆは、その上端部と下端部がネジ９６Ａ、９６Ｃにてケーシング６１に着脱自在であり、中間支柱６２Ｆの上端部には、中間支柱６２Ｆの取り外しによって下方へ撓んだ中間部横材６３Ｆを、ネジの回転によって正規の略水平状態に矯正しその状態に支持する支持部９０を備えたものである。
【００６３】
支柱６２は、上下に延びた１本の金属製支柱で四隅の支柱６２が構成されたものでもよく、また図示のように、上支柱と下支柱に分割された２本の金属製支柱が上下配置されて四隅の支柱６２が構成されたものであってもよい。また、上部横材６３Ｔは、中間部横材６３Ｆ、下部横材６３Ｓは、ケーシング６１の前面側の左右の支柱６２、背面側の左右の支柱６２、左側面側の左右の支柱６２、及び右側面側の左右の支柱６２にそれぞれ略水平状態に亘るように構成されている。
【００６４】
上部室６４と下部室の間に位置する中間部横材６３Ｆは、上部室６４の荷重を受けるために、図９等の示されるように断面コ字形の肉厚材をなし、下部室６５の下部に位置する下部横材６３Ｓは、室外ユニット６０の荷重を受けるために、図９等に示されるように断面コ字形の肉厚材をなしている。
【００６５】
このように室外ユニット６０の骨格を構成するケーシング６１は強固に構成されているが、本発明では、横方向に長い大型の二段スクリュー圧縮機１０の分解を伴う保守・点検時の作業性の向上のために、二段スクリュー圧縮機１０に対応する下部室６５の保守・点検時の作業間口ＳＭ側となる前面側の中間支柱６２Ｆは、ケーシング６１に着脱自在である。前面側の中間支柱６２Ｆは、中間部横材６３Ｆのうちの下部室６５の作業間口側の上部の中間部横材６３Ｆ１を支えるように、下部室６５の四隅の支柱６２間に配置され、後述のように、上端部と下端部がネジ９６Ａ、９６Ｃにてケーシング６１に着脱自在である。
【００６６】
この場合、二段スクリュー圧縮機１０に対応する中間支柱６２Ｆを取り外したときは、中間支柱６２Ｆで支えられていた上部室６４と下部室６５の間に位置する上部室６４の前側の中間部横材（下部室６５の上部の中間部横材６３Ｆ１で示す）は、上部室６４に配置した凝縮器２０の荷重によって、下方へ若干撓む。このため、作業終了後にはこの撓みを略水平状態に矯正して、室外ユニット６０を正常状態に維持することが必要である。この中間部横材６３Ｆ１は、全く撓まないような大なる厚肉の断面コ字形やＨ形にすればコストアップとなり、比較的安価に造っても撓みが矯正できれば差し支えない構造となる点で効果がある。
【００６７】
本発明は、この点に鑑み、圧縮機１０に対応した下部室６５の前側の中間支柱６２Ｆは、撓んだ中間部横材６３Ｆ１が略水平状態を保つように、上端部と下端部がネジ９６Ａ、９６Ｃにてケーシング６１に着脱自在であり、中間支柱６２Ｆの上端部には、中間支柱６２Ｆの取り外しによって下方へ撓んだ下部室６５の上部の中間部横材６３Ｆ１を略水平状態に矯正する矯正機構部を有する支持部９０を備えた技術構成である。この技術構成に関し、第１実施形態と第２実施形態の二つの実施形態がある。
【００６８】
第１実施形態は、中間支柱６２Ｆ側に螺合したネジの回転によって撓んだ中間部横材６３Ｆ１を押し上げ、撓んだ横材６３Ｆ１を正規の略水平状態に矯正する技術である。また、第２実施形態は、撓んだ横材６３Ｆ１側に螺合したネジの回転に伴い、このネジが中間支柱６２Ｆを押すときの反作用によって、撓んだ横材６３Ｆ１を正規の略水平状態に引き上げ矯正する技術である。以下にこの二つの実施形態を記載する。
【００６９】
（第１実施形態）
以下、本発明に係る第１実施形態について、図１１乃至図１７に基づき説明する。
下部室６５の前側の間口が、横方向に長い圧縮機１０に対応した作業間口ＳＭとなる。この作業間口ＳＭの上下方向の寸法は、図示の形態では、下部室６５の上部の中間部横材６３Ｆ１の前方へ張り出した固定部９５と、下部室６５の底面を形成する底板８２との間の寸法である。横方向に長い圧縮機１０に対応した下部室６５の作業間口ＳＭ側である前側の中間支柱６２Ｆは、後述のように、上端部の支持部９０が中間部横材６３Ｆ１の前方へ張り出した固定部９５に支持され、下端部が下部室６５の底部の取り付け部９４にそれぞれネジ９６Ａ、９６Ｃにて取り付けられる。
【００７０】
中間支柱６２Ｆの上下方向の長さは、下部室６５の上部の中間部横材６３Ｆ１が正規の略水平状態にあるとき、中間支柱６２Ｆの下端部が取り付け部９４に取り付けられた状態で、中間支柱６２Ｆの上端部は、この略水平状態にある中間部横材６３Ｆ１の固定部９５より若干低い位置となる長さであり、上記のように中間部横材６３Ｆ１下方へ若干撓んだ状態でも、取り付け部９４と固定部９５との間に入り込むことが可能な長さであり、且つ支持部９０に設けた矯正機構部により、撓んだ中間部横材６３Ｆ１を正規の略水平状態に矯正できる長さに構成されている。
【００７１】
中間支柱６２Ｆは、図１３等に示すように、支持部９０に、支持部９０と下部室６５の上部の中間部横材６３Ｆ１とを連結する連結用ネジ９６Ａと、下方へ撓んだ中間部横材６３Ｆ１を略水平状態に矯正するために、支持部９０から上方へ進出する第１矯正用ネジ９７Ａを備えている。具体的には、この支持部９０は、中間部横材６３Ｆ１の前方へ張り出した固定部９５へネジ９６Ａにて取り付ける水平状態のフランジ状取り付け部９１と、この取り付け部９１に螺合してこの取り付け部９１から上方へ進出することにより、下方へ撓んだ中間部横材６３Ｆ１を正規の略水平状態に矯正する第１矯正用ネジ９７Ａとを備えている。更に、中間支柱６２Ｆは、中間支柱６２Ｆ自体の強度維持のため、及び取り付け部９１が下方へ撓むことを抑制するための縦方向の支持フランジ６２ＦＦを形成している。
【００７２】
図１２に示すように、中間支柱６２Ｆの下端部に対応した下部室６５の底部は、下部室６５の左右の底板８２間に下部横材６３Ｓのうちの前側に位置する下部横材６３Ｓ２の上面の水平部分が露出した取り付け部９４が形成されている。中間支柱６２Ｆの下端部には、下部室６５の前側の下部横材６３Ｓ２へネジ９６Ｃにて取り付けるフランジ９３を形成している。このため、フランジ９３を含む支柱６２Ｆの下端部を取り付け部９４に嵌め合わせる。このとき、中間支柱６２Ｆの下端部が取り付け部９４の奥部に形成したストッパ部９８へ当接した状態で、取り付け部９４の下端部が位置決めされる。この嵌め合わせ状態で、フランジ９３を固定ネジ９６Ｃにて下部室６５の前側の下部横材６３Ｓ２へ取り付ける。ストッパ部９８は、下部室６５の前側の下部横材６３Ｓ２と後側の下部横材６３Ｓとに渡る補強材９９や、ストッパ板９９の前端によって形成される。
【００７３】
以下、下部室６５の前面側の中間支柱６２Ｆを取り外した後の取り付けについて説明する。下部室６５の前面側の中間支柱６２Ｆを取り外した状態で、上記のように、下部室６５の前側の中間部横材６３Ｆ１が下方へ撓み、図１５及び図１６にＬＰで示す位置まで中間部横材６３Ｆ１の固定部９５の下面が下降している。この状態で先ず、中間支柱６２Ｆの下端部をストッパ部９８に当接する状態に取り付け部９４に嵌め合わせ、中間支柱６２Ｆの下端部が取り付け部９４から外れないように、フランジ９３を下部室６５の前側の下部横材６３Ｓ２へネジ９６Ｃにて緩く取り付ける。
【００７４】
この仮止め状態から、中間支柱６２Ｆの上端部を下部室６５の前側の中間部横材６３Ｆ１の固定部９５の下側ヘ向けて移動させ、取り付け部９１の下面に溶接にて取り付けたナット１００Ａ（このナット１００Ａは取り付け部９１のネジの一部をなす）に対して、中間部横材６３Ｆ１の前方へ張り出した固定部９５の上方から、ネジ９６Ａを固定部９５の貫通孔９５Ａを貫通して挿入し、ネジ９６Ａの頭部の下側締め付け面９６Ａ１が固定部９５の上面よりも上方へ離れた状態になるように、ネジ９６Ａのネジ部を取り付け部９１のネジ孔９２Ａ及びナット１００Ａのネジ孔に螺合させる。これによって、中間支柱６２Ｆがケーシング６１の所定位置にセットされた状態となる。この状態で、ネジ９６Ｃを正規の状態に強く締め付け、中間支柱６２Ｆの下端部を取り付け部９４に固定する。
【００７５】
この状態で、ネジ９６Ａより内側寄りに配置された取り付け部９１の下面に溶接したナット１００Ｂ及び取り付け部９１のネジ孔９２Ｂのネジ孔に、取り付け部９１の下方から第１矯正用ネジ９７Ａのネジ部を螺合させることによって、第１矯正用ネジ９７Ａの上先端が固定部９５の下面に当接し、その状態から更に第１矯正用ネジ９７Ａを回転させることにより、第１矯正用ネジ９７Ａの上先端が固定部９５を下方から押し上げる。この押し上げに伴って横材６３Ｆ１がＬＰレベルから上昇し、中間部横材６３Ｆ１が正規の略水平状態となる。この状態に達したことは、水準器によって中間部横材６３Ｆ１の水平状態を確認すればよい。この状態で、ネジ９６Ａの頭部の下側締め付け面９６Ａ１が固定部９５の上面に当接するように締め付けることにより、中間支柱６２Ｆの上端部の取り付けが終了し、ケーシング６１の前面部への中間支柱６２Ｆの取り付けが終了する。この取り付けが終了した状態を図１４乃至図１７に示している。
【００７６】
上記のように第１矯正用ネジ９７Ａの上先端が固定部９５を下方から押し上げる際に取り付け部９１が下方へ押される作用力が生じる。この作用力を取り付け部９１のみで支えれば問題ないが、この作用力の支えをより安定化させるために、中間支柱６２Ｆには取り付け部９１の支え部として左右に縦方向の支えフランジ６２ＦＦを形成している。これによって第１矯正用ネジ９７Ａの上先端による固定部９５の押し上げを安定して行えるようにしている。
【００７７】
（第２実施形態）
以下、本発明に係る第２実施形態について、図１８乃至図２２に基づき説明する。第１実施形態及び上記の構成と同様の構成部分には同じ符号を付しており、第１実施形態及び上記の構成における説明と同じである。
【００７８】
室外ユニット６０において、下部室６５の作業間口ＳＭ側の上部の中間部横材６３Ｆ１を支えるように、下部室６５の支柱６２間に配置された中間支柱６２Ｆは、上端部と下端部がネジ９６Ｂ、９６Ｃにてケーシング６１に着脱自在の取り付けである。この場合、中間支柱６２Ｆの下端部がネジ９６Ｃによって取り付け部９４に固定される構成は、上記の第１実施形態に記載した構成と同様である。
【００７９】
また、中間支柱６２Ｆの上端部の取り付けについては、下部室６５の上部の中間部横材６３Ｆ１側に螺合する第２矯正用ネジ９６Ｂが設けられ、第２矯正用ネジ９６Ｂの回転に伴って第２矯正用ネジ９６Ｂが中間支柱６２Ｆを押すときの反作用によって、中間支柱６２Ｆの取り外しによって下方へ撓んだ下部室６５の上部の中間部横材６３Ｆ１が正規の略水平状態に引き上げられる構成である。この構成を図に基づき具体的に記載する。
【００８０】
下部室６５の上部の中間部横材６３Ｆ１には、中間支柱６２Ｆの上端部を取り付けるように前方へ張り出した固定部９５を備えており、固定部９５には左右に離間して係合溝１０１を形成している。中間支柱６２Ｆの上端部の支持部９０には、下部室６５の上部の中間部横材６３Ｆ１の上面側に延びるフランジ状取り付け部９１と、係合溝１０１に係合する係合部１０２を備えている。フランジ状取り付け部９１は、縦方向の支持フランジ６２ＦＦの上端部から後方へ略直角に屈曲して水平状態に形成している。また、係合部１０２は、縦方向の支持フランジ６２ＦＦの上部左右端部から後方へ略直角に屈曲して垂直状態に形成している。図示の形態では、係合部１０２は取り付け部９１を支えるための支持フランジ１０２として機能する構成としており、支持フランジ１０２としての強度確保のために、支持フランジ６２ＦＦの上部左右端部から後方へ略直角に屈曲して垂直状態となるフランジ１０２Ａの上端部に形成した構成となっている。
【００８１】
この構成において、下部室６５の前面側の中間支柱６２Ｆを取り外した後の取り付けについて説明する。下部室６５の前面側の中間支柱６２Ｆを取り外した状態で、上記のように、下部室６５の前側の上部の中間部横材６３Ｆ１が下方へ撓み、図２２に示す位置まで中間部横材６３Ｆ１の固定部９５の下面が下降している。この状態で先ず、中間支柱６２Ｆの下端部をストッパ部９８に当接する状態に取り付け部９４に嵌め合わせると共に、係合部１０２が係合溝１０１に係合するように、取り付け部９１が中間部横材６３Ｆ１の固定部９５の上面側に配置された状態へ中間支柱６２Ｆをケーシング６１に組み合わせる。
【００８２】
この組み合わせ状態で、中間支柱６２Ｆの下端部が取り付け部９４から外れないように、フランジ９３を下部室６５の前側の下部横材６３Ｓ２へネジ９６Ｃにて固定する。この状態で、図２２に示すように、取り付け部９１が中間部横材６３Ｆ１の前方へ張り出した固定部９５から離れた上方に配置された状態となっている。この状態で、第２矯正用ネジ９６Ｂを取り付け部９１の貫通孔９２Ｄを貫通するように挿入させ、第２矯正用ネジ９６Ｂのネジ部を上部の中間部横材６３Ｆ１の固定部９５に形成したネジ孔９５Ｂに螺合させる。固定部９５の下面には、このネジ孔９５Ｂに連通するネジ孔を形成したナット１００Ｃが溶接されており、第２矯正用ネジ９６Ｂのネジ部は、ネジ孔９５Ｂとナット１００Ｃに螺合する。このナット１００Ｃは固定部９５に形成したネジ孔９５Ｂの一部をなす。
【００８３】
このように第２矯正用ネジ９６Ｂのネジ部がネジ孔９５Ｂとナット１００Ｃに螺合させ、図２２に示すように、第２矯正用ネジ９６Ｂの頭部の締め付け面９６Ｂ１が取り付け部９１の上面に当接した状態から、更に第２矯正用ネジ９６Ｂを締め付け方向へ回転させることにより、下方へ撓んだ中間部横材６３Ｆ１が引き上げられ、正規の略水平状態に引き上げられるまで行う。正規の略水平状態に達したことは、水準器によって中間部横材６３Ｆ１の水平状態を確認すればよい。
【００８４】
このように第２矯正用ネジ９６Ｂが、中間支柱６２Ｆの上端部を中間部横材６３Ｆ１に取り付ける役目と、中間部横材６３Ｆ１の撓みを矯正する役目の両方を担う構成であり、第２矯正用ネジ９６Ｂの回転によって下方へ撓んだ中間部横材６３Ｆ１が引き上げられる際に、取り付け部９１が下方へ押される作用力が生じる。この作用力を取り付け部９１のみで支えれば問題ないが、この作用力の支えをより安定化させるために、中間支柱６２Ｆには取り付け部９１の支え部として、第２矯正用ネジ９６Ｂ近傍位置にある係合部１０２が、支持フランジ１０２として機能する構成である。なお、係合部１０２の対抗側に第２の支持フランジ１０２Ｐを中間支柱６２Ｆに一体形成すれば、なお安定した構成となる。
【産業上の利用可能性】
【００８５】
本発明に係る冷凍装置は、上記実施例に示した構成に限定されず、種々の形態の冷凍装置または冷凍機器に適用できるものであり、本発明の技術範囲において種々の形態を包含するものである。
【符号の説明】
【００８６】
１０・・・・二段スクリュー圧縮機
１０ａ・・・低圧部
１６・・・・オイルセパレータ
２０・・・・凝縮器
３８・・・・冷却器（エバポレータ）
５０・・・・アンロード用電磁弁
５５・・・・制御装置
５５Ａ・・・制御部
６０・・・・室外ユニット
６１・・・・ケーシング
６２・・・・支柱
６２Ｆ・・・中間支柱
６３Ｔ・・・上部横材
６３Ｆ・・・中間部横材
６３Ｆ１・・下部室上部の前側の中間部横材
６３Ｓ・・・下部横材
６３Ｓ２・・下部室下部の前側の下部横材
６４・・・・上部室
６５・・・・下部室
６６・・・・仕切り板
６７・・・・電装ボックス
６８・・・・送風口
６９・・・・ケーシングの上壁
７０・・・・外装パネル
７１、７２・・・出入り口配管
７５・・・・換気口
７６・・・・防水土手
７７・・・・水受けガイド部材
７７Ａ・・・上面開口
７７Ｂ・・・周囲壁
７７Ｂ１・・前壁
７７Ｃ・・・底壁
７７Ｄ・・・開口
７７Ｅ・・・空気吸い込み口
８０・・・・補強用筋交い
９０・・・・中間支柱６２Ｆの上端部の支持部
９１・・・・取り付け部
９２・・・・傾斜ガイド部
９３・・・・フランジ
９４・・・・取り付け部
９５・・・・固定部
９６Ａ・・・連結用ネジ
９６Ｂ・・・第２矯正用ネジ
９６Ｃ・・・固定ネジ
９６Ａ・・・連結用ネジ
９７・・・・固定側ガイド部
９７Ａ・・・第１矯正用ネジ
９８・・・・ストッパ部
１０１・・・係合溝
１０２・・・係合部
Ｆ１、Ｆ２、Ｆ３・・・・送風機（冷却ファン）
ＬＣＤ・・・表示器
ＭＣ・・・・マイクロコンピュータ
Ｍｇ１、Ｍｇ２、Ｍｇ３・・・電磁弁
ＭＲ・・・・メモリ
ＲＴ・・・・冷凍装置
Ｓ１・・・・低圧側圧力スイッチ
Ｓ１Ａ・・・低圧側圧力スイッチの第１スイッチ
Ｓ１Ｂ・・・低圧側圧力スイッチの第２スイッチ
Ｓ２・・・・選択手段としての選択スイッチ
Ｓ３・・・・高圧側圧力スイッチ
Ｓ４・・・・スタートスイッチ
ＳＤ・・・・ダウンスイッチ
ＳＵ・・・・アップスイッチ
ＳＴ・・・・選択スタートスイッチ
【図１】
2012132659.tif 000003
【図２】
2012132659.tif 000004
【図３】
2012132659.tif 000005
【図４】
2012132659.tif 000006
【図５】
2012132659.tif 000007
【図６】
2012132659.tif 000008
【図７】
2012132659.tif 000009
【図８】
2012132659.tif 000010
【図９】
2012132659.tif 000011
【図１０】
2012132659.tif 000012
【図１１】
2012132659.tif 000013
【図１２】
2012132659.tif 000014
【図１３】
2012132659.tif 000015
【図１４】
2012132659.tif 000016
【図１５】
2012132659.tif 000017
【図１６】
2012132659.tif 000018
【図１７】
2012132659.tif 000019
【図１８】
2012132659.tif 000020
【図１９】
2012132659.tif 000021
【図２０】
2012132659.tif 000022
【図２１】
2012132659.tif 000023
【図２２】
2012132659.tif 000024